(57)【要約】【課題】  本発明は、特に大きなシステムや装置等を必要とせず、その取り扱いも装置の構造も簡単で、一般の家庭や学校、病院などの他、個人で携帯用としても、さらに操作容易、安全且つ簡便に使用可能にした、口腔及び歯の清掃装置を提供すること。【解決手段】  本発明の口腔及び歯の清掃装置は、一対の超音波振動部材の間隙に、人の歯肉近縁や歯冠、歯頸部、歯根を近接して閉空間的に囲む該一対の超音波振動部材や、あるいは歯溝、歯周ポケット深部へ挿入可能な扁平形状の挿入部材先端縁とこの挿入部材先端縁の二股分岐底部にある超音波振動体で歯頸部や歯根近傍および歯肉とで画する歯周ポケットを含む超音波振動体の自由振動空間内での歯頸部や歯根表面に対する超音波振動エネルギーを与えることで、その歯の表面に固着している歯垢や歯石を効率よく剥離除去できることを特徴としている。【選択図】図１
2006239368.tif 000002
【特許請求の範囲】
【請求項１】
その内部にＨ２Ｏ流体（水、イオン水、塩水、リンゴ酸溶液等）を収容する密閉容器であってその一端部に人の上下両唇で被うべき開口部を有する密閉容器と；
該開口部に水密状に接合する開口接合端部を有しかつ他端部を外部に突出する形状の外部突出部を有する超音波振動部材であって、該超音波振動部材の該開口接合端部と該外部突出部は離間して、人の歯及び歯頚並びに該歯の両側面の歯根近傍を対向し挟み囲むよう空隙を構成して成る前記超音波振動部材と；
前記超音波振動部材の前記開口接合部材に一体接合状態に設けて成るリード線であって、前記密閉容器の前記開口部を介して高周波電源に連結接合するリード線と；
を有することを特徴とする口腔及び歯の清掃装置。
【請求項２】
前記超音波振動部材の前記外部突出部は対向する人の歯の裏面歯列沿面に対し口腔内方へ０．２乃至６０ミリメートル程度摺同可能に位置調整容易に構成して成ることを特徴とする請求項１記載の口腔及び歯の清掃装置。
【請求項３】
前記超音波振動部材の前記開口接合端部と前記外部突出部はその間隙に入る人の歯の歯列沿面に前記開口接合端部と前記外部突出部の長さ方向の形状が同様のものであることを特徴とする請求項１乃至請求項２記載の口腔及び歯の清掃装置。
【請求項４】
前記超音波振動部材の前記開口接合端部と前記外部突出部はそれぞれ前記開口接合端部と前記外部突出部間隙に入る人の歯の歯列沿面に対面する表面上に超音波エネルギーを集束させて歯列沿面に放射する様に実質的にその横断面が凹面形状を有する凹面形状断面部を含むことを特徴とする請求項１乃至請求項３記載の口腔及び歯の清掃装置。
【請求項５】
前記超音波振動部材の前記開口接合端部と該外部突出部はそれぞれ前記開口接合端部と前記外部突出部間隙に入る人の歯の歯列沿面に対面する表面上に超音波エネルギーを集束させ歯列沿面に放射する様に実質的に複数の前記凹面形状部を有することを特徴とする請求項１乃至請求項４記載の口腔及び歯の清掃装置。
【請求項６】
歯肉溝に挿入可能な偏平形状挿入部と；
該挿入部の先端部であってその長手方向に対し直角方向に成した縦断面形状が二股状に分岐した内周先端部とその外周先端部とを有する前記先端部と；
該内周端部と該外周端部との間に設けて成る一体化部と；
該一体化部に振動自在に設けられて成る超音波振動体と；
を有することを特徴とする口腔及び歯の清掃装置。
【請求項７】
前記超音波振動体は前記挿入部の一体化部にその一端部を固着し、その他端部を揺動自在に設けられたことを特徴とする請求項６記載の口腔及び歯の清掃装置。
【請求項８】
前記超音波振動体は前記挿入部の一体化部に複数個設けられたことを特徴とする請求項６乃至請求項７記載の口腔及び歯の清掃装置。
【請求項９】
前記超音波振動体は前記挿入部の一体化部に平坦に配設されたことを特徴とする請求項６乃至請求項８記載の口腔及び歯の清掃装置。
【請求項１０】
前記挿入部の一体化部は歯溝に対し実質凹面状湾曲面を形成して成ることを特徴とする請求項６乃至請求項９記載の口腔及び歯の清掃装置。
【請求項１１】
前記先端部の前記各内外周先端部は歯溝に挿入前は互いに内方に対し反っており挿入直後から互いに外方へ反ることを特徴とする請求項６乃至請求項１０記載の口腔及び歯の清掃装置。
【請求項１２】
前記挿入部を含むキャップ部は各個別歯毎に装着され、その装着された各前記挿入部の一体化部には所望の個数だけ歯列に適合する形状に横手方向に湾曲状に直列接続されて成る構成を有することを特徴とする請求項６乃至請求項１１記載の口腔及び歯の清掃装置。
【請求項１３】
超音波振動部材および前記超音波振動部材に嵌合した棒状の支持部材を含む構成であり、該棒状の支持部材は長手方向の管状の連通孔を有することを特徴とする口腔及び歯の清掃装置。
【請求項１４】
前記棒状の支持部材は更に液体保持部材と嵌合し、前記長手方向の管状の連通孔の一端が該液体保持部材内側に接続されている事を特徴とする請求項１３に記載の口腔及び歯の清掃装置。
【請求項１５】
前記棒状の支持部材は更に歯、唇、歯茎のうち少なくとも１つと接することによって前記超音波振動部材の位置を固定する、位置固定部材を有する事を特徴とする請求項１３および１４に記載の口腔及び歯の清掃装置。
【発明の詳細な説明】
【技術分野】
【０００１】  本発明は、口腔及び歯の清掃装置に関するもので、更に詳細には、例えば食後の歯磨き、すすぎ等では除去困難な食べ滓や汚れなど、更には歯の裏側などの清掃困難な汚れ、特に歯の根元近傍、歯周ポケットにあるミュータント菌や歯垢や歯石の除去清掃装置に関する。
【背景技術】
【０００２】  一般に、従来の基本的な口腔及び歯の清掃装置においては、口腔内部全体や歯の根元、裏側、歯と歯との隙間などに粘着し固着した汚れは依然として除去が困難である。特に非専門治療器具として個人が簡便に使用する器具などの場合、個々人の口腔内の細菌分布と密度状態や歯の大きさ等、個人差が特に大きいため、頑固な汚れを除去清掃する機能としては十分なものものではなかった。一方、歯科医が使用する、専門歯科医療器具としての歯垢や歯石除去装置は、患者の口腔形状とその狭い空間や、歯列状態、唾液の分泌状況によってこの歯垢歯石除去装置の操作が難しくなり、患者の歯肉を損傷出血させ、嫌な機械的振動とその音などを介して患者に苦痛と恐怖を与えることも多かった。そのため使用者、患者の立場からは安心して治療に通院出来、かつ患者に対し簡便に安全に使用し、利用できる装置が望まれていた。【０００３】  このような従来の基本的な口腔及び歯の清掃装置に対し、近年、特に非侵襲仕様の専門治療器具として個人が簡便に使用する場合や、歯科治療専門医が使用する場合にも性能がかなり向上しているものとして、特に高速振動波歯ブラシ、超音波振動歯ブラシなどが見受けられるようになって来ている。（特許文献１参照）、（特許文献２参照）。しかし、やはり前述したような欠点、特に歯周ポケット内の歯垢、歯石などを除去する等の課題を十分満足する程度に解決するには至っていなかった。（特許文献３参照）、（特許文献４参照）。
その中でも比較的、歯科解剖学的見地から、歯科治療専門医が使用する場合に対応する超音波式治療器具が開発使用されているが、その先端は金属製で患者の歯肉や歯頸および歯根表面を損傷しないで治療することはかなりの熟練を要する。
この様な欠点を改良した方法、構成を開示したものも一部見受けられるが、ブラシ先端部や、ブラシ毛先との接触摩擦力で歯垢、歯石を除去する、と言う発想から脱却できないものであった。そのため、依然としてこのブラシ先端部、毛先と接触できない歯の表面や歯根表面および歯頚表面の歯垢および歯石は除去は困難であった。（特許文献５参照）。【０００４】  このように、従来の技術、装置、方法では家庭や学校、歯科医院などでも使えるような、汎用的で経済的で安全、且つ簡便なものが少ない、等の問題点があった。
【特許文献１】特開２００１−３１４２３５号
【特許文献２】特開２００４−０４１６８４号
【特許文献３】実新登録第  ３０４０４８３号
【特許文献４】特開平  ０７−０４７０８８号
【特許文献５】特願平  １０−５１１８５３号（特表２００２−５１２５３５）
【発明の開示】
【発明が解決しようとする課題】
【０００５】  本発明は、上記事情に鑑みてなされたもので、従来と異なり、特別に規模の大きいシステムや装置、電源などを必要とせず、その装置の構造も取り扱いも簡単で、普通の歯ブラシや歯垢除去器具などの様に、一般の家庭や学校、病院などの他、自動車その他のトラベルセットなど個人で携帯用ユニットなど、汎用的で経済的且つ安全で、さらに操作容易且つ簡便に使用出切るようにした、口腔内部表面および歯の表裏面清掃、並びに歯肉溝歯周近傍での歯の表裏面上の歯垢や歯石の除去清掃装置を提供することを目的とするものである。
【課題を解決するための手段】
【０００６】  上記課題を解決し、上記目的を達成するために、請求項１記載の発明は、その内部にはＨ２Ｏ流体（水、イオン水、塩水、リンゴ酸溶液等）を収容する密閉容器であってその一端部に人の上下両唇で被うべき開口部を有する密閉容器と；
該開口部に水密状に接合する開口接合端部を有しかつ他端部を外部に突出する形状の外部突出部を有する超音波振動部材であって、該超音波振動部材の該開口接合端部と該外部突出部は離間して、人の歯及び歯頚並びに該歯の両側面の歯根近傍を対向し挟み囲むよう空隙を構成して成る前記超音波振動部材と；
前記超音波振動部材の前記開口接合部材に一体接合状に設けて成るリード線であって、前記密閉容器の前記開口部を介して高周波電源に連結接合するリード線と；
を有することを特徴とする。【０００７】  請求項２記載の発明は、請求項１に示された前記超音波振動部材の前記外部突出部は対向する人の歯の裏面歯列沿面に対し口腔内方へ０．２乃至６０ミリメートル程度摺同可能に位置調整容易に構成して成ることを特徴とする。【０００８】  請求項３記載の発明は、請求項１乃至２記載に示された記前記超音波振動部材の前記開口接合端部と前記外部突出部はその間隙に入る人の歯の歯列沿面に前記開口接合端部と前記外部突出部の長さ方向の形状が同様のものであることを特徴とする。【０００９】  請求項４記載の発明は、請求項１乃至請求項３記載の前記超音波振動部材の前記開口接合端部と前記外部突出部はそれぞれ前記開口接合端部と前記外部突出部間隙に入る人の歯の歯列沿面に対面する表面上に超音波エネルギーを集束させて歯列沿面に放射する様に実質的にその横断面が凹面形状を有する凹面形状断面部を含むことを特徴とする。【００１０】  請求項５記載の発明は、請求項１乃至請求項４に示された前記超音波振動部材の前記開口接合端部と該外部突出部はそれぞれ前記開口接合端部と前記外部突出部間隙に入る人の歯の歯列沿面に対面する表面上に超音波エネルギーを集束させ歯列沿面に放射する様に実質的に複数の前記凹面形状部を有することを特徴とする。【００１１】  請求項６記載の発明は、歯肉溝に挿入可能な実質的に偏平形状挿入部と；
該挿入部の先端部であってその長手方向に対し直角方向に成した縦断面形状が二股状に分岐した内周先端部とその外周先端部とを有する前記先端部と；
該内周端部と該外周端部との間に設けて成る一体化部と；
該一体化部に振動自在に設けられて成る超音波振動体と；
を有することを特徴とする。【００１２】  請求項７記載の発明は、請求項６記載の前記超音波振動体は前記挿入部の一体化部にその一端部を固着し、その他端部を揺動自在に設けられたことを特徴とする。【００１３】  請求項８記載の発明は、請求項６乃至請求項７記載の前記超音波振動体は前記挿入部の一体化部に複数個設けられたことを特徴とする。【００１４】  請求項９記載の発明は、請求項６乃至請求項８記載の前記超音波振動体は前記挿入部の一体化部に平坦に配設されたことを特徴とする。【００１５】  請求項１０記載の発明は、請求項６乃至請求項９記載の前記挿入部の一体化部は歯溝（歯周ポケット？）に対し実質凹面状湾曲面を形成して成ることを特徴とする。【００１６】  請求項１１記載の発明は、請求項６乃至請求項１０記載の前記先端部の前記各内外周先端部は歯溝に挿入前は互いに内方に対し反っており挿入直後から互いに外方へ反ることを特徴とする。【００１７】  請求項１２記載の発明は、請求項６乃至請求項１１記載の前記挿入部を含むキャップ部は各個別歯毎に装着され、その装着された各前記挿入部の一体化部には所望の個数だけ歯列に適合する形状に横手方向に湾曲状に直列接続されて成る構成を有することを特徴とする請求項６乃至請求項１１記載の口腔及び歯の清掃装置。前記挿入部は各個別歯毎に装着され、その装着された各前記挿入部の一体化部には所望の個数だけ歯列に適合する形状に横手方向に湾曲状に直列接続されて成る構成を有することを特徴とする。【００１８】  請求項１３記載の発明は、超音波振動部材および前記超音波振動部材に嵌合した棒状の支持部材を含む構成であり、該棒状の支持部材は長手方向の管状の連通孔を有することを特徴とする。【００１９】  請求項１４記載の発明は、前記棒状の支持部材は更に液体保持部材と嵌合し、前記長手方向の管状の連通孔の一端が該液体保持部材内側に接続されている事を特徴とする。【００２０】  請求項１５記載の発明は、請求項１３および１４に記載の口腔及び歯の清掃装置に関係し、前記棒状の支持部材は更に歯、唇、歯茎のうち少なくとも１つと接することによって前記超音波振動部材の位置を固定する、位置固定部材を有する事を特徴とする。
【発明の効果】
【００２１】  以上説明したように、本発明によれば、上記のように構成されているので、以下のような効果が得られる。【００２２】  請求項１記載の発明によれば、超音波振動エネルギーが口腔内に含むボトル液を介して直接的に歯周および歯頸、歯冠、および歯肉を介して間接的に歯根表面に供給されて、その表面に付着した歯垢やその石灰化した歯石もその振動数の相違から、歯表面部から歯垢や歯石を剥離して、除去出来るという効果を奏する。【００２３】  請求項２記載の発明によれば、超音波振動部が歯の裏表面位置から口腔内方へ移動自在に位置調整が容易になっているので、口臭の一因としての舌表面のコケ、カビ、よごれなども剥離除去出来るという効果を奏する。【００２４】  請求項３乃至５記載の発明によれば、超音波振動エネルギーが集束的に歯周および歯頸、歯冠、歯根表面に供給されて、その表面に付着した歯垢やその石灰化した歯石もその振動数の相違から、歯表面部から剥離して、除去出来るという効果を奏する。【００２５】  請求項６乃至１０記載の発明によれば、歯溝または歯周ポケットへの挿入を容易にするのに適した扁平形状を有する先端部であって、その先端部はまた二股状に最先端部が分岐しており、その分岐基底部は凹面状になって超音波振動部材が振動自在に設けられているため、超音波振動エネルギーが強力に集束して直接的に歯周および歯頸、歯冠、歯根表面に供給されて、その表面に付着した歯垢やその石灰化した歯石もその振動数の相違から、歯表面部から剥離して、除去出来るという効果を奏する。【００２６】  請求項１１記載の発明によれば、前記先端部の前記各内外周先端部が歯溝または歯周ポケットに挿入前は互いに所定の距離を保持して内方方向にて対向しているが、挿入直後から互いに外方方向へ反って離間するようになるので、結果として前記超音波振動体が高効率で振動できる空間を確保できる。このため、この超音波振動体の振動エネルギーを歯肉や歯根等に接触して超音波振動周波数が急変して低パワーの振動状態になったり、場合によっては、超音波共振が共振モードからはずれて振動自体が停止したり、歯根近傍歯肉を損傷したりすることも回避出来て、狭い空隙での超音波振動子から歯周ポケット深部近傍の歯根表面に在る歯石等に集束的に照射して強力な超音波振動を伝達できるため、歯石を効率良く剥離除去出来るという効果を奏する。【００２７】  請求項１２記載の発明によれば、前記挿入部を含むキャップ部は各個別歯毎に装着して使用したり、あるいは各個人の治療すべき患部の状況に応じて各前記挿入部を含むキャップ部を所望の個数だけ連結して一体的に使用したりすることも可能であり、各患者の治療対象形状に最適な所望の個数だけ歯列に適合する形状に横手方向に湾曲状に直列接続されて装着して使用することも出来るという効果を奏する。【００２８】  請求項１３乃至１５に記載の発明は、超音波振動部材および前記超音波振動部材に嵌合した棒状の支持部材を含む構成であり、該棒状の支持部材は長手方向の管状の連通孔を有することを特徴とし、前記棒状の支持部材は更に液体保持部材と嵌合し、前記長手方向の管状の連通孔の一端が該液体保持部材内側に接続されている事を特徴とし、前記棒状の支持��材は更に歯、唇、歯茎のうち少なくとも１つと接することによって前記超音波振動部材の位置を固定する、位置固定部材を有する事を特徴とすることから、所望の位置に超音波振動部材を固定でき、かつ口腔内を適宜所望の洗浄液で満たして、超音波振動伝達空間とし効率良く、所望の歯、唇、歯茎表面の汚れ、特に歯垢や歯石等を容易に除去出来るという効果を奏する。
【発明を実施するため最良の形態】
【００２９】  以下に、本発明の実施の形態に係り口腔及び歯の清掃装置に関し、図面に基づいて詳細に説明する。
（第１の実施形態）
本発明の第１実施形態における口腔及び歯の清掃装置は、水などの内容液を含むボトル開口部の先端にある１対の超音波振動子によって、上下の歯の前後で超音波振動エネルギーを与えられて、口腔内および歯冠や歯頸部の表面や、歯根近傍の歯表面部にある歯垢や歯石を剥離し除去するようになっている。
【００３０】  図１は、本発明の第１実施形態における口腔及び歯の清掃装置の一例を示す要部の概略断面図であり、水、イオン水、口臭消臭剤等などの内容液１０８を収容した容器、ボトル１０６のボトル開口部１０７の先端に設けられ且つ互いに１０から１００ミリメートルまで調整可能に離間した１対の超音波振動体１０３が、使用者の上下の歯１０１、１０２をそれら１対の超音波振動体の前後で直接これらの歯と接触しない空間的離間状態で囲んで超音波振動し、その振動エネルギーを空間周囲に与える。その結果、口腔１０４内へ導入されたボトル内容溶液１０８の水分子を叩いて歯冠や歯頸部、歯根近傍の歯表面部に直接超音波振動エネルギーを与え、それらの表面部に固着している歯垢や歯石を強力に歯表面部から剥離し除去するように作用する。この超音波振動エネルギー供給電気配線１０５は、ボトル中に内臓されてその一端部は前記超音波振動体１０３へ接続され、他端部は電源１０９（内部、外部）に連結されている。
【００３１】  また、図２は、本発明の第１実施形態における口腔及び歯の清掃装置の他の一例を示す要部の概略断面図であり、特に各歯冠や歯の裏表面上に固着している歯垢や歯石を簡便に除去可能に出来る様、摺動ロッド部２０９の摺動ロッド先端部２１１が使用者の上下の歯（２０１、２０３）に対してその位置を調節可能に位置決め出来ることを示している。この調節可能な範囲の距離は、基準位置からおよそ１ミリメートル〜１００ミリメートル程度は調整可能になっている。その結果、振動基台２１２上に設けてある超音波振動体２０２の位置を調節可能にすること事が出来る。
【００３２】  図３は、本発明の第１実施形態における口腔及び歯の清掃装置の更に別の一例を示す要部の概略断面図であり、特に各歯冠や歯の裏表面上に固着している歯垢や歯石を簡便に除去可能に出来る様、摺動ロッド部３０９の摺動ロッド先端部３１１の位置が、使用者の上下の歯（３０１、３０２）の位置に対してその相対的離間位置の位置決めが出来ることを示している。すなわち、この１対の超音波振動体（３０２ａ、３０２ｂ）の内、使用者の上下の歯（３０１、３０２）に対する相対位置は略静止状態にてその位置を決められるのは歯と唇間にある第一の振動体３０２ａで、歯の裏側から摺動ロッド部３０９の摺動ロッド先端部３１１の位置すなわちその上に設けられた第二の超音波振動体３０２ｂが、使用者の上下の歯（３０１、３０２）の位置に対してその相対的離間位置の位置決めが出来ることを示している。この調節可能な範囲の距離は、およそ１ミリメートル〜１００ミリメートル程度は調整可能になっている。
【００３３】  また、この例では超音波振動の電気供給源の起動、停止をそれぞれ別々に或いは連動して、または同時に選択的に制御出来る電源駆動制御器等も配置していることをも考慮した構成となっている。ここではその詳細かつ具体的な電源およびその配線、制御回路等は説明しない。
【００３４】  図４は、本発明の第２実施形態における口腔及び歯の清掃装置の一例を示す要部の概略斜視図であり、特に各歯冠や歯根表面上に固着している歯垢や歯石を簡便に除去可能に出来る様、歯周溝、歯周ポケット深部へ容易に挿入出来る形状である偏平形状の挿入チップ先端シート部４２を有する挿入チップ４０であって、この挿入チップ４０の挿入チップ先端シート部４２はその断面形状が二股部４３の先端部に二股状に分岐した外周端縁４２ａと内周端縁４２ｂとがあり、さらにその両内外周端縁間の底部には一体化部４３があってこの一体化部４３には超音波振動体４６が一体化部４３より外側の振動空間外側方向へ超音波振動エネルギーを放出する様、振動自在に埋め込まれている。
【００３５】  図５は、本発明の第２実施形態における口腔及び歯の清掃装置の他の一例を示す要部の概略断面図であり、特に歯冠や歯頸部、歯根表面上に固着している歯垢や歯石を簡便に除去可能に出来る様、歯周溝、歯周ポケット深部へ容易に挿入出来る形状である偏平形状の挿入先端縁５３を有する挿入キャップ５５であって、この挿入キャップ５５の挿入先端縁５３はその断面形状が二股状に分岐した外周端縁５２ａ、５３ａと内周端縁５２ｂ、５３ｂとおよびその両内外周端縁間の底部には一体化部５４があってこの一体化部５４には超音波振動体５６が一体化部５４より外側の振動空間外側方向へ超音波振動エネルギーを放出する様、振動自在に埋め込まれている。また、この場合、歯冠をカバーする冠部５７を有している。
【００３６】  図６乃至図８は、本発明の第２実施形態における口腔及び歯の清掃装置のさらに別の一例を示す挿入先端部の要部の概略断面図であり、特に歯冠や歯頸部、歯根表面上に固着している歯垢や歯石を簡便にはそれぞれ一体化部に平坦な超音波振動体が振動自在に埋め込まれている状態を示しており、特に図８は振動効率を上げるため、被駆動部材質量を極力小さくする意図を持って、複数の剛性の大きい振動部材、または極細のマイクロ棒状の振動体８６を埋め込んだ構造を示すものである。
【００３７】  図９は、本発明の第２実施形態における口腔及び歯の清掃装置のさらにもう一つ別の一例を示す要部の斜視図であり、特に二股部９３を適切に調整することで図５の挿入キャップ５５を単一でもまた複数個のものを連結しても使用可能であることを示す図である。
【００３８】  図１０は、本発明の第２実施形態における口腔及び歯の清掃装置の他の一例を示す要部の斜視図であり、二股部１０３を適切に調整した寸法および形状にすることで、特に図９に示す様に使用者、患者の歯列形状に適合した任意の個数、かつ形状での挿入キャップの一体化連結状態を示している。
【００３９】  図１１は、本発明の第２実施形態における口腔及び歯の清掃装置のさらに別の一例を示す要部の概略断面図で、二股部１１３の一体化部１１４にある超音波振動体１１６を拡大して示す。
【００４０】  図１２は、本発明の第２実施形態における口腔及び歯の清掃装置のさらにもう一つ別の一例を示すハンディタイプのスティック１２０の挿入状態を示す概略断面図である。
【００４１】  図１３は、本発明の第２実施形態における口腔及び歯の清掃装置のもう一つさらに別の一例を示すハンディタイプのスティック１３０の挿入チップ部１３３の挿入状態を示す概略断面図である。
【００４２】  図１４、図１５、図１６は、本発明の第２実施形態における口腔及び歯の清掃装置のもう一つさらに別の一例を示すもので、特にその超音波振動エネルギーの清掃作用に供する超音波振動エネルギー密度を大きくとるため、その二股部（１４３、１５３）の挿入先端部の形状をその超音波振動体の振動エネルギーを集束して、その超音波エネルギーの最大作用点および作用範囲が丁度、歯頸部、歯根表面にある歯垢や歯石に作用する様に構成してなることを特徴とする構造を提示している。特に図１６は、プラスチック振動部材の例を示す。このときの、超音波振動エネルギー伝播集束方向１６６が、歯頸部、歯根表面にある歯垢や歯石上で集中するようになっていることを示している。
【図面の簡単な説明】
【００４３】
【００４４】
【図１】  本発明に係る第１実施形態の基本的構成を示す概略断面図である。
【図２】  本発明に係る第１実施形態の他の１例を示す概略断面図である。
【図３】  本発明に係る第１実施形態の他の別の例を示す概略断面図である。
【図４】  本発明に係る第２実施形態の要部の概略斜視図である。
【図５】  本発明に係る第２実施形態の他の１例を示す概略断面図である。
【図６】  本発明に係る第２実施形態の別の１例を示す概略断面図である。
【図７】  本発明に係る第２実施形態の更に別の概略断面図である。
【図８】  本発明に係る第２実施形態の他のさらに別の概略断面図である。
【図９】  本発明に係る第２実施形態の別の応用実施例の概略斜視図である。
【図１０】  図９の挿入キャップを一体的に連結した実施例の概略斜視図である。
【図１１】  図９の挿入部材先端縁の二股分岐部の拡大した概略断面図である。
【図１２】  本発明に係る第２実施形態のスティック型の例を示す概略断面図である。
【図１３】  図１２のスティック１２０先端縁部の拡大図である。
【図１４】  図１２、図１３の実施例の挿入状態の拡大図である。
【図１５】  図１４の挿入チップ部先端縁の拡大図である。
【図１６】  超音波振動体がプラスチック振動体の場合の概略断面図である。
【符号の説明】
【００４５】１０１  上歯
１０２  超音波振動体
１０３  下歯
１０４  口腔
１０５  配線
１０６  ボトル
１０７  ボトル開口部
１０８  ボトル内容水（水、イオン水）
２０１  上歯
２０２  超音波振動体
２０３  下歯
２０４  口腔
２０６  ボトル
２０７  ボトル開口部
２０９  摺動ロッド
２１１  摺動ロッド先端部
２１２  摺動基台
３０１  上歯
３０２ａ、３０２ｂ  超音波振動体
３０３  下歯
３０９  摺動ロッド部
３１１  摺動ロッド先端部
４０    挿入チップ
４１    挿入チップ頭部
４２ａ  外周端縁
４２ｂ  内周端縁
４３    挿入チップ先端シート部
４４    二股部
４６    超音波振動体
５０    挿入チップ部
５２    二股部
５２ａ  外周端縁
５２ｂ  内周端縁
５３    二股部
５３ａ  外周端縁
５３ｂ  内周端縁
５４    一体化部
５５    挿入キャップ
５６    二股部
５７    冠部
６３    挿入先端縁
６４    一体化部
６６    超音波振動体
７３    二股部
７４    一体化部
７６    超音波振動体
８６    超音波振動体
９３    二股部
１１３  二股部
１１４  一体化部
１１６  超音波振動体
１２０  スティック
１２１  上歯
１２２  下歯
１２４  口腔
１３０  スティック
１３１  上歯
１３２  下歯
１３３  挿入チップ部
１４１  上歯
１４３  二股部
１５３  二股部
１５４  一体化部
１５６  超音波振動体
１６０  超音波振動エネルギーの伝播集束方向
１６６  プラスチック製超音波振動体・
【図１】
2006239368.tif 000003
【図２】
2006239368.tif 000004
【図３】
2006239368.tif 000005
【図４】
2006239368.tif 000006
【図５】
2006239368.tif 000007
【図６】
2006239368.tif 000008
【図７】
2006239368.tif 000009
【図８】
2006239368.tif 000010
【図９】
2006239368.tif 000011
【図１０】
2006239368.tif 000012
【図１１】
2006239368.tif 000013
【図１２】
2006239368.tif 000014
【図１３】
2006239368.tif 000015
【図１４】
2006239368.tif 000016
【図１５】
2006239368.tif 000017
【図１６】
2006239368.tif 000018